(57)【要約】      （修正有）【課題】スーパーマーケットなどのレジ袋に代わるマイバッグとして、安く便利な買物用再生バッグを提供する。【解決手段】傘骨から取りはずした傘布をバッグ本体１０として、その中心部の径小な抜き穴１１をカバー布１２ａ、１２ｂにり封止する一方、バッグ本体１０の径大な開放周縁部を紐通し布１３により、約半円周分づつ縁取りして、その境界部に向かい合う一対の紐引き出し間隙から両紐通し布１３の中空内部へ、バッグ本体開閉用操作紐１５を各々通し込み、紐引き出し間隙とほぼ直交する方向からバッグ本体１０の表面へ、向かい合う一対の携帯用ベルト１６を取り付けると共に、傘布に固有の結束用バンド１７をそのまま使って、バッグ本体１０の折りたたみ状態を結束できるように構成した。【選択図】図２
0003133648.tif 000002
【実用新案登録請求の範囲】
【請求項１】
傘骨から取りはずした傘布をほぼ円錐受け皿形態のバッグ本体（１０）として、その中心部に開口露呈した径小な抜き穴（１１）を、カバー布（１２）により封止する一方、
同じくバッグ本体（１０）の径大な開放周縁部を紐通し布（１３）（１３）により、約半円周分づつ縁取り補強状態に整形して、その境界部に向かい合う一対の紐引き出し間隙（１４）（１４）から両紐通し布（１３）（１３）の中空内部へ、バッグ本体開閉用操作紐（１５）を各々通し込み、
その紐通し布（１３）（１３）の紐引き出し間隙（１４）（１４）とほぼ直交する方向から上記バッグ本体（１０）の表面へ、向かい合う一対の携帯用ベルト（１６）（１６）を取り付けると共に、
上記傘布に付属している固有の結束用バンド（１７）を用いて、そのバッグ本体（１０）の折りたたみ状態を結束できるように定めたことを特徴とする買物用再生バッグ。
【請求項２】
抜き穴（１１）のカバー布（１２）を傘布よりも厚肉の柔らかい表布（１２ａ）と裏布（１２ｂ）との２枚として、その互いにほぼ同じ大きさの円形又は正多角形に造形すると共に、
上記表布（１２ａ）と裏布（１２ｂ）とをバッグ本体（１０）の中心部へ、挟み付け状態に縫い合わせたことを特徴とする請求項１記載の買物用再生バッグ。
【請求項３】
傘骨から取りはずした傘布をほぼ円錐受け皿形態のバッグ本体（１０）として、その中心部に開口露呈した径小な抜き穴（１１）の封止用縫い糸（１８）により、装飾用ボタン（１９）を取り付け、
そのボタン（１９）をカバーする表布（２０ａ）と、これとほぼ同じ大きさ・形状の裏布（２０ｂ）とを上記バッグ本体（１０）の中心部へ、その表布（２０ａ）の周縁一部だけが折りたたみ状態のバッグ本体用出し入れ口（２１）として残る縁取り状態に縫い合わせることにより、上記表布（２０ａ）と裏布（２０ｂ）とから成るバッグ本体折りたたみ収納用ポケット（Ｐ）を区画する一方、
上記バッグ本体（１０）の径大な開放周縁部を紐通し布（１３）（１３）により、約半円周分づつ縁取り補強状態に整形して、その境界部に向かい合う一対の紐引き出し間隙（１４）（１４）から両紐通し布（１３）（１３）の中空内部へ、バッグ本体開閉用操作紐（１５）を各々通し込み、
その紐通し布（１３）（１３）の紐引き出し間隙（１４）（１４）とほぼ直交する方向から上記バッグ本体（１０）の表面へ、向かい合う一対の携帯用ベルト（１６）（１６）を取り付けると共に、
上記ボタン（１９）が表出するように裏返したポケット（Ｐ）の中空内部へ、その出し入れ口（２１）から折りたたみ状態のバッグ本体（１０）を押し込み収納できるように定めたことを特徴とする買物用再生バッグ。
【請求項４】
ポケット（Ｐ）の表布（２０ａ）と裏布（２０ｂ）とを傘布と同質の素材から、円形又は正多角形に造形すると共に、
傘布から一旦取りはずした結束用バンド（１７）の根元部を、ポケット（Ｐ）の出し入れ口（２１）に縫い付けて、
そのバンド（１７）の先端部をボタン（１９）へ掛脱自在に巻き掛けることにより、上記ポケット（Ｐ）の出し入れ口（２１）を拘束したことを特徴とする請求項３記載の買物用再生バッグ。
【請求項５】
操作紐（１５）（１５）の２本を紐通し布（１３）（１３）の中空内部へ重畳的なリング状に各々通し込んで、その１本づつの切り離し両端部を結束することにより、無端化すると共に、
上記操作紐（１５）（１５）の中途部を両紐通し布（１３）（１３）の紐引き出し間隙（１４）（１４）から相反する方向（Ｆ）（Ｆ）へ引き出し操作することにより、バッグ本体（１０）の開放周縁部を一挙同時に絞り閉合させ得るように定めたことを特徴とする請求項１又は３記載の買物用再生バッグ。
【考案の詳細な説明】
【技術分野】
【０００１】
本考案は大量に発生する忘れ物の洋傘や、骨だけ破損した洋傘を無駄に廃棄してしまうことなく、その傘布から再生した安価な買物用バッグに関する。
【背景技術】
【０００２】
改正容器包装リサイクル法の施行によって、レジ袋などの容器包装を年間５０トン以上使用するスーパーマーケットやコンビニエンスストアー、その他の小売業者には、その削減目標や取り組みの報告義務が課されることとなった。
【０００３】
そのため、上記レジ袋の無償提供を中止し、これを有料化する小売業者が増加しつつあり、需要者側でもレジ袋に代る買物用バッグ（所謂マイバッグ）を持参する機運が高まってきている。
【０００４】
このようなポリオレフィンなどの合成樹脂フィルム製レジ袋に代る買物用バッグについては、今までに下記の各種特許文献が提案されている。そのうち、特許第３８５８０１４号公報に開示の買物用袋（１）が、向かい合う一対の提げ手（１１）のみならず、袋開閉用紐（５）とその紐通し部（４）をも具備している点で、本考案に最も近似する公知技術であると考えられる。
【特許文献１】実用新案登録第３０４９７３３号公報
【特許文献２】特開平１１−１５７５５４公報
【特許文献３】特開２００３−１４４２１７号公報
【特許文献４】特許第３５３３３６８号公報
【特許文献５】特許第３８５８０１４号公報
【考案の開示】
【考案が解決しようとする課題】
【０００５】
ところが、上記特許第３８５８０１４発明の構成では、買物用袋（１）が商品の収納部（２）とその上端縁の折り返し部（３）を含む全体として、布又は合成樹脂の柔軟性素材から、スーパーマーケットの店内買物篭（通称：セルフ篭）（Ａ）と対応する直方体に造形されているため、未だ空の状態にある買物用袋（１）を却ってセルフ篭（Ａ）へ瞬時に正しく挿入セットし難く、その正確な挿入セット作業を求められる会計カウンターの担当係員にとって、甚だ面倒な制約を受けることになる。
【０００６】
又、買物用袋（１）の袋口と底面（２１）とはほぼ同じ大きさの長方形をなし、その袋開閉用紐（５）が向かい合う一対での別途独立して、袋口を半分づつ閉じるようになっているため、顧客（購買者）としても袋開閉用紐（５）を絞る操作のほかに、折り返し部（３）側の面ファスナー（３ａ）とベルト（３１）側の面ファスナー（３ｂ）とを係止させることにより、袋口の中央部を閉じる必要もあって、非常に煩らわしい。このことは、袋開閉用紐（５）が収納部（２）の内側に垂れ下がる図１、２の第１実施形態において、ますます顕著となる。
【０００７】
更に、柔軟性の素材から成る買物用袋（１）であるとしても、その袋口の大きさはセルフ篭（Ａ）のそれと対応している制約上、セルフ篭（Ａ）から溢れる分量の商品やその長辺よりも長大な商品については、これらを余裕のある状態に収納して、その袋口を完全に閉じることが困難である。
【０００８】
その結果、自動車のシートや一般家庭のテーブルなどに安定良く立て置くことができず、不慮に転倒して、商品の脱落・散乱するおそれがあり、降雨時の携帯にも支障を与える
【０００９】
それにもまして、収納部（２）と折り返し部（３）との境界線上に位置する四隅部へ、内側からループ状の紐通し部（４）を各々設置し、その紐通し部（４）における長辺側の端部（４１）へ袋開閉用紐（５）の根元部を固定しなければならないほかに、その紐（５）を絞るスライド係止具（５１）やベルト（３１）、複数の面ファスナー（３ａ）（３ｂ）（３ｃ）も具備させる必要があるため、全体的に著しく複雑な構成となり、従来から無償提供されていたレジ袋に代る買物用袋（マイバッグ）としては、到底安価に提供することができない。
【課題を解決するための手段】
【００１０】
本考案はこのような課題の抜本的な解決を目的としており、その目的を達成するために、請求項１では傘骨から取りはずした傘布をほぼ円錐受け皿形態のバッグ本体として、その中心部に開口露呈した径小な抜き穴を、カバー布により封止する一方、
【００１１】
同じくバッグ本体の径大な開放周縁部を紐通し布により、約半円周分づつ縁取り補強状態に整形して、その境界部に向かい合う一対の紐引き出し間隙から両紐通し布の中空内部へ、バッグ本体開閉用操作紐を各々通し込み、
【００１２】
その紐通し布の紐引き出し間隙とほぼ直交する方向から上記バッグ本体の表面へ、向かい合う一対の携帯用ベルトを取り付けると共に、
【００１３】
上記傘布に付属している固有の結束用バンドを用いて、そのバッグ本体の折りたたみ状態を結束できるように定めたことを特徴とする。
【００１４】
又、上記請求項１に従属する請求項２では、抜き穴のカバー布を傘布よりも厚肉の柔らかい表布と裏布との２枚として、その互いにほぼ同じ大きさの円形又は正多角形に造形すると共に、
【００１５】
上記表布と裏布とをバッグ本体の中心部へ、挟み付け状態に縫い合わせたことを特徴とする。
【００１６】
他方、請求項３では傘骨から取りはずした傘布をほぼ円錐受け皿形態のバッグ本体として、その中心部に開口露呈した径小な抜き穴の封止用縫い糸により、装飾用ボタンを取り付け、
【００１７】
そのボタンをカバーする表布と、これとほぼ同じ大きさ・形状の裏布とを上記バッグ本体の中心部へ、その表布の周縁一部だけが折りたたみ状態のバッグ本体用出し入れ口として残る縁取り状態に縫い合わせることにより、上記表布と裏布とから成るバッグ本体折りたたみ収納用ポケットを区画する一方、
【００１８】
上記バッグ本体の径大な開放周縁部を紐通し布により、約半円周分づつ縁取り補強状態に整形して、その境界部に向かい合う一対の紐引き出し間隙から両紐通し布の中空内部へ、バッグ本体開閉用操作紐を各々通し込み、
【００１９】
その紐通し布の紐引き出し間隙とほぼ直交する方向から上記バッグ本体の表面へ、向かい合う一対の携帯用ベルトを取り付けると共に、
【００２０】
上記ボタンが表出するように裏返したポケットの中空内部へ、その出し入れ口から折りたたみ状態のバッグ本体を押し込み収納できるように定めたことを特徴とする。
【００２１】
上記請求項３に従属する請求項４では、ポケットの表布と裏布とを傘布と同質の素材から、円形又は正多角形に造形すると共に、
【００２２】
傘布から一旦取りはずした結束用バンドの根元部を、ポケットの出し入れ口に縫い付けて、
【００２３】
そのバンドの先端部をボタンへ掛脱自在に巻き掛けることにより、上記ポケットの出し入れ口を拘束したことを特徴とする。
【００２４】
更に、上記請求項１又は３に従属する請求項５では、操作紐の２本を紐通し布の中空内部へ重畳的なリング状に各々通し込んで、その１本づつの切り離し両端部を結束することにより、無端化すると共に、
【００２５】
上記操作紐の中途部を両紐通し布の紐引き出し間隙から相反する方向へ引き出し操作することにより、バッグ本体の開放周縁部を一挙同時に絞り閉合させ得るように定めたことを特徴とする。
【考案の効果】
【００２６】
請求項１の上記構成によれば、買物用再生バッグのバッグ本体が傘布からのほぼ円錐受け皿形態をなすため、その径大な円形の開放周縁部をスーパーマーケットなどに用意されている直方体の店内買物篭（セルフ篭）へ、上方から覆いかぶせる如く挿入セットすれば足り、そのバッグ本体をセルフ篭と対応合致させる制約が無いため、会計カウンターでの買物をすばやく遂行できる効果がある。
【００２７】
上記セルフ篭へバッグ本体を覆いかぶせれば、そのバッグ本体の径大な開放周縁部がセルフ篭の開放周縁部へ余裕のある折り返し状態に垂れ下がるため、そのセルフ篭から溢れる分量の商品や長大な商品をも、これらを包み込む如く多量に収納できるのである。
【００２８】
又、傘布から成るバッグ本体は防水性又は撥水性を有するため、水分が浸み出すおそれのある食品や、降雨時の携帯にも支障を一切与えず、繰り返し買物に使用するも、形崩れや皺寄りを生じることがなく、安価に提供できることとも相俟ち、従来のレジ袋に代るマイバッグとして著しく有益である。
【００２９】
特に、請求項２の構成を採用するならば、バッグ本体として傘布を採用しつつも、その底面となる中心部を表布と裏布との２枚により、安定な保形状態と封止状態に維持することができ、しかもバッグ本体の折りたたみに支障を与えない効果がある。
【００３０】
他方、請求項３の構成によれば、上記諸効果を達成できることに加えて、折りたたみ状態のバッグ本体をその中心部の表布と裏布とから区成されたポケットの内部へ、その出し入れ口から完全に押し込み収納することができるため、買物に出向く携帯上の利便性を得られる効果もある。
【００３１】
その場合に、請求項４の構成を採用するならば、傘布に固有の結束バンドを付け換えることにより、上記バッグ本体折りたたみ収納用ポケットの出し入れ口を拘束することができ、そのバッグ本体を女性が好む優美なポーチ形態として、快適に携帯し得る効果がある。
【００３２】
更に、請求項５の構成を採用するならば、両紐通し布の中空内部に亘ってリング状に通し込み配線された２本の操作紐を、両手で相反する方向へ引き出し操作することにより、バッグ本体の径大な開放周縁部を一挙同時にすばやく絞り閉合させることができ、買物をますます能率良く遂行し得るほか、その絞り閉合された巾着形態として便利良く持ち帰れる効果もある。
【考案を実施するための最良の形態】
【００３３】
以下、図面に基いて本考案の具体的構成を詳述すると、先ず図１〜８はその第１実施形態に係る買物用再生バッグの全体的な分解状態と仕上がり状態を示しており、（１０）は一定の開口径（例えば約７０〜１０５cm）と深さ（例えば約２０〜３０cm）を備えたほぼ円錐受け皿形態のバッグ本体であって、洋傘の傘骨（図示省略）から取りはずされた傘布から成る。
【００３４】
洋傘の傘布は周知のように、ポリエステルやナイロン、その他の薄肉・強靱な各種合成繊維を素材としており、自由に折りたためる可撓性があるも拘らず、形崩れや皺寄りを生じることはなく、傘骨により癖付けられた原形（上記円錐受け皿形態）を永く保てるほか、ＰＶＣ加工などによる防水性又は撥水性も有するため、これを買物用再生バッグのバッグ本体（１０）として、そのまま有効に活用することができるのであり、製造コストダウンや省資源効果に優れる。
【００３５】
洋傘の親骨から刃物などを用いて、傘布を取りはずすと、その傘布から成るバッグ本体（１０）の中心部には、中棒の径小な抜き穴（１１）が図１のように開口露呈する結果、その抜き穴（１１）を封止するために、特別なカバー布（１２）を上記バッグ本体（１０）の中心部へ縫い付ける。
【００３６】
茲に、カバー布（１２）としてはバッグ本体（１０）の表面へ、その１枚だけを縫い付けるにとどめてもさしつかえないが、バッグ本体（１０）の底面となる中心部の補強や化粧効果を図るため、傘布よりも厚肉の柔らかく、しかも互いにほぼ同じ大きさの円形又は正多角形な表布（１２ａ）と裏布（１２ｂ）との２枚を用意して、その２枚を図８のようにバッグ本体（１０）の中心部へ、挟み付け状態に縫い合わせることが好ましい。これらには刺繍模様（図示省略）を施すこともできる。
【００３７】
他方、上記バッグ本体（１０）の径大な開放周縁部には、傘布よりも厚肉な柔らかい紐通し布（１３）（１３）の一対を断面ほぼコ字形として、約半円周分づつ縫い合わせることにより、縁取り補強状態に整形する。（１４）（１４）はその紐通し布（１３）（１３）同志の境界部に開口する一対の紐引き出し間隙を示しており、図２のような向かい合う位置関係にある。
【００３８】
（１５）（１５）は上記紐引き出し間隙（１４）（１４）から両紐通し布（１３）（１３）の中空内部に亘って、リング状に通し込み配線されたバッグ本体開閉用操作紐であり、その操作紐（１５）（１５）の切り離し両端部は紐通し布（１３）（１３）から不慮に脱落しないように結束・無端化されている。但し、その結束を解いて、操作紐（１５）（１５）を新品と交換できることは言うまでもない。
【００３９】
そして、そのリング状に通し込まれている操作紐（１５）（１５）の中途部を、上記紐引き出し間隙（１４）（１４）の何れか一方から引き出し操作すれば、バッグ本体（１０）の開放周縁部を絞り閉合させることができる。
【００４０】
そのバッグ本体開閉用操作紐（１５）（１５）としては１本でもさしつかえないが、これを図１〜３のような２本として両紐通し布（１３）（１３）の中空内部へ、重畳的なリング状に通し込むと共に、その無端化されている１本づつの中途部を両手により、向かい合う一対の上記紐引き出し間隙（１４）（１４）から相反方向へ引き出し操作して、バッグ本体（１０）の開放周縁部をあたかも巾着の如く、一挙同時にすばやく絞り閉合させ得るように定めることが望ましい。
【００４１】
又、（１６）（１６）は両紐通し布（１３）（１３）の紐引き出し間隙（１４）（１４）とほぼ直交する方向から（紐通し布を言わば２等分する位置において）、上記円錐受け皿形態をなすバッグ本体（１０）の表面へ縫い付けられた向かい合う一対の携帯用ベルトであり、図示の実施形態では柔らかい布から成る短かい把手として、バッグ本体（１０）を手提げ使用できるようになっているが、これらを長く延長させることにより、所謂ショルダーバッグとして使えるように定めても良い。
【００４２】
更に、図４の符号（１７）は傘布に付属している固有の結束バンドを示してり、これを傘布から取りはずすことなく活用して、上記バッグ本体（１０）の自由な折りたたみ状態を仮り止め結束するために使うのである。
【００４３】
本考案の上記買物用再生バッグを従来のレジ袋に代るマイバッグとして持参し、スーパーマーケットでの買物を行なう場合には、そのバッグ本体（１０）をスーパーマーケットの会計カウンターにおいて、空の店内用買物篭（セルフ篭）（Ｂ）へ上方から覆いかぶせるように挿入セットし、その径大な開放周縁部を図５に示す如く、セルフ篭（Ｂ）への折り返し状態に垂れ掛ける。このような作業は会計カウンターの担当係員のほか、顧客（商品購買者）が行なっても良い。
【００４４】
そして、担当係員が購買商品（Ａ）の収納状態にあるセルフ篭（図示省略）から、その商品（Ａ）を上記再生バッグのバッグ本体（１０）へ順次移し入れて、購買代金の支払いを終えたならば、商品購買者がバッグ本体開閉用操作紐（１５）（１５）を図６の矢印（Ｆ）（Ｆ）で示す如く、両手によって相反する方向へ引き出し操作し、そのバッグ本体（１０）の開放周縁部を一挙同時に絞り閉合させて、その図７のような巾着形態となったバッグ本体（１０）の携帯用ベルト（１６）（１６）を把持し、上記セルフ篭（Ｂ）から抜き出して持ち帰れば良いのである。
【００４５】
上記買物用再生バッグのバッグ本体（１０）は傘布から成るものとして、先に例示した開口径：約７０〜１０５cmの大きな円形を呈するに比し、スーパーマーケットなどのセルフ篭（Ｂ）は開口径：約３０cm×４０cmの長方形をなす通例である関係上、その再生バッグのバッグ本体（１０）をセルフ篭（Ｂ）と対応合致させる制約なく、たとえ若干偏心状態に挿入セットしたとしても、セルフ篭（Ｂ）の開放周縁部へ確実に垂れ掛けることができ、そのセルフ篭（Ｂ）から溢れる程に積み上げられた商品（Ａ）をも、包み込む如く多量に収納し得るのである。
【００４６】
しかも、商品（Ａ）が収納されたバッグ本体（１０）は巾着形態として、その商品（Ａ）の重量により自づと下広がり状態に膨張変形する結果、自動車のシートや一般家庭のテーブルへ安定良く載置することができ、振動やショックを受けても転倒せず、商品（Ａ）の不慮に脱落・散乱してしまうおそれはない。
【００４７】
更に、再生バッグのバッグ本体（１０）は防水性又は撥水性を有する傘布から成るため、水分の浸み出るおそれがある食品であっても、又降雨時に携帯するも、一切支障がなく、仮りに汚損したとしても、水拭きや洗濯などを行なえ、すばやく自然乾燥させることができ、そうすれば当初の形崩れや皺寄りがない原形状態に復帰する。
【００４８】
傘布に予じめ施されている固有の図柄模様も、従来のレジ袋に代るマイバッグとしては、そのオリジナリティや興趣変化の発揮に役立つ。尚、買物に出向く際には、上記バッグ本体（１０）を展開状態として、そのまま携帯用ベルト（１６）（１６）により手提げしてもさしつかえないが、そのバッグ本体（１０）を図４のような折りたたみ状態として、結束バンド（１７）により仮り止め結束することができ、そのため著しく便利である。
【００４９】
次に、図９〜１３は本考案に係る買物用再生バッグの第２実施形態を示しており、これでは傘骨から取りはずした結果として、その傘布から成るバッグ本体（１０）の中心部に開口露呈する径小な抜き穴（１１）を、上記第１実施形態のカバー布（１２）に代る縫い糸（１８）により、直接集束状態に縛り上げ封止している。しかも、その縫い糸（１８）を兼用して、装飾用ボタン（１９）も同時に縫い付けている。
【００５０】
そして、そのボタン（１９）をカバーする円形の表布（２０ａ）と、これとほぼ同じ大きさ・形状（円形）の裏布（２０ｂ）との２枚を上記バッグ本体（１０）の中心部へ、特にその表布（２０ａ）の周縁一部だけが後述の折りたたまれたバッグ本体用出し入れ口（２１）として残る縁取り状態に縫い合わせている。
【００５１】
つまり、裏布（２０ｂ）がその円形周縁部の全体的な縁取り状態として、バッグ本体（１０）の中心部へ縫い付けられているに比し、表布（２０ａ）は上記出し入れ口（２１）を除く残余の円弧周縁部だけ、同じくバッグ本体（１０）の中心部へ縫い付けられており、その一定な開口幅（Ｗ）の出し入れ口（２１）を有する表布（２０ａ）と、これと同じ大きさ・形状の裏布（２０ｂ）とから、バッグ本体折りたたみ収納用ポケット（Ｐ）が区画形成されているのである。
【００５２】
この状態では図１０、１１から明白なように、上記抜き穴（１１）を封止しているバッグ本体（１０）自身の裏面に裏布（２０ｂ）が、同じくバッグ本体（１０）自身の表面に上記ボタン（１９）をカバーしている表布（２０ａ）が、その合計３枚での重なり合う状態にある。
【００５３】
そこで、図１０、１１の状態から表布（２０ａ）によりカバーされているボタン（１９）が表出することとなるように、そのボタン（１９）付きのバッグ本体（１０）自身を上記出し入れ口（２１）から引き出すこととの相対的に、上記表布（２０ａ）を裏返すのであり、そうすれば裏返された表布（２０ａ）と裏布（２０ｂ）とが直接に向かい合うこととなる。
【００５４】
その結果、その裏返した表布（２０ａ）の上記出し入れ口（２１）からポケット（Ｐ）の内部へ、引き続きバッグ本体（１０）を押し込んでゆくことにより、そのバッグ本体（１０）を完全な折りたたみ状態として、図１２、１３のようにポケット（Ｐ）へ収納することができる。
【００５５】
上記バッグ本体（１０）の中心部へ縫い付ける表布（２０ａ）並びに裏布（２０ｂ）としては、特に傘布と同質の可撓性に富み、防水性又は撥水性も有する素材を採用することが好ましい。その全体的な折りたたみを円滑に行なえるからであり、このような趣旨を達成できるならば、上記表布（２０ａ）と裏布（２０ｂ）との輪郭形状を図示の円形だけに限らず、正多角形に造形しても良い。
【００５６】
更に、傘布に付属している固有の結束バンド（１７）を一旦取りはずして、その結束バンド（１７）の根元部を上記ポケット（Ｐ）における出し入れ口（２１）の開放縁部へ縫い付け、残る先端部をバッグ本体（１０）の中心部から表出した上記ボタン（１９）へ、掛脱自在に巻き掛けることにより、そのバッグ本体（１０）が折りたたみ状態に収納されたポケット（Ｐ）の出し入れ口（２１）を拘束する。
【００５７】
そうすれば、本考案の買物用再生バッグを図１２のような小型コンパクト化された愛らしいポーチ形態として、そのポケット（Ｐ）から露出した携帯用ベルト（１６）（１６）により、好体裁に手提げ使用することができる。
【００５８】
又、図示省略してあるが、上記バッグ本体（１０）の中心部へ表布（２０ａ）を縫い付ける際に、その周縁部へ装飾用のレース生地も併せて縫い合わせるならば、携帯時の優美さがますます向上する。
【００５９】
何れにしても、図１２、１３のような折りたたみ状態から携帯用ベルト（１６）（１６）を引き出せば、上記ポケット（Ｐ）の内部から折りたたみ状態のバッグ本体（１０）が一連に引き出される結果となり、自づと図９〜１１のような展開状態に復元するため、スーパーマーケットのセルフ篭（Ｂ）へ支障なく挿入セットして、その商品（Ａ）の購買に使うことができることは、言うまでもない。
【００６０】
尚、第２実施形態におけるその他の構成とその買物上の使用法は、上記第１実施形態と実質的に同一であるため、その図９〜１３に図１〜８との対応符号を記入するにとどめて、その詳細な説明を省略する。
【図面の簡単な説明】
【００６１】
【図１】本考案の第１実施形態を示す分解図である。
【図２】図１と対応する仕上がり状態の斜面図である。
【図３】図２から立体化したバッグの斜面図である。
【図４】バッグの折りたたみ携帯状態を示す斜面図である。
【図５】店内買物篭（セルフ篭）に対する挿入セット状態を示す斜面図である。
【図６】商品が収納されたバッグの絞り閉合操作を示す斜面図である。
【図７】商品が収納されたバッグの携帯状態を示す斜面図である。
【図８】図７の拡大側断面図である。
【図９】本考案の第２実施形態を示す斜面図である。
【図１０】図９の拡大側断面図である。
【図１１】図１０の底面図である。
【図１２】バッグの折りたたみ携帯状態を示す斜面図である。
【図１３】図１２の拡大側断面図である。
【符号の説明】
【００６２】
（１０）・バッグ本体
（１１）・抜き穴
（１２）・カバー布
（１２ａ）（２０ａ）・表布
（１２ｂ）（２０ｂ）・裏布
（１３）・紐通し布
（１４）・紐引き出し間隙
（１５）・開閉用操作紐
（１６）・携帯用ベルト
（１７）・結束バンド
（１８）・縫い糸
（１９）・ボタン
（２１）・ポケットの出し入れ口
（Ａ）・商品
（Ｂ）・店内買物篭（セルフ篭）
（Ｆ）・引き出し方向
（Ｐ）・ポケット
（Ｗ）・開口幅
【図１】
0003133648.tif 000003
【図２】
0003133648.tif 000004
【図３】
0003133648.tif 000005
【図４】
0003133648.tif 000006
【図５】
0003133648.tif 000007
【図６】
0003133648.tif 000008
【図７】
0003133648.tif 000009
【図８】
0003133648.tif 000010
【図９】
0003133648.tif 000011
【図１０】
0003133648.tif 000012
【図１１】
0003133648.tif 000013
【図１２】
0003133648.tif 000014
【図１３】
0003133648.tif 000015